(57)【特許請求の範囲】
【請求項１】
回動ノブ（４）と、一端に該回動ノブ（４）を固定し、他端に操作杆（２２ａ）を有する第３レバー（２２）と、該第３レバー（２２）の軸棒（２２ｃ）を挿通した筒部（６ａ）を有する第２レバー（６）と、該第２レバー（６）を挿通した第１レバー（３）と、前記第２レバー（６）に固定した固定体（１８）と、を備えたレバースイッチにおいて、
前記第３レバー（２２）は、先端に割り溝（２２ｅ）を形成すると共に、該割り溝（２２ｅ）の周部に前記第２レバー（６）の先端部に係止する係止爪（２２ｆ）を形成し、
前記回動ノブ（４）は、前記第３レバー（２２）の割り溝（２２ｅ）に嵌入する突起（４ｂ）を形成したことを特徴とする車両用レバースイッチの構造。
【請求項２】
前記請求項１の発明において、
前記回動ノブ（４）は、前記突起（４ｂ）の近傍に、前記第３レバー（２２）の軸棒（２２ｃ）に嵌合する腕部（４ｃ）に形成したことを特徴とする車両用レバースイッチの構造。
【請求項３】
前記請求項１、又は２の発明において、
前記第２レバー（６）は、筒部（６ａ）を第１レバー（３）に挿通し、かつ該筒部（６ａ）の先端部に、前記固定体（１８）の円筒部（１８ｂ）の他端部に係止する弾性係止爪（６ｂ）を形成したことを特徴とする車両用レバースイッチの構造。
【請求項４】
前記請求項３の発明において、
前記第２レバー（６）は、一端に基端部（６ｃ）を有し、他端に固定体（１８）を固着し、
前記第１レバー（３）は、該第２レバー（６）の筒部（６ａ）に挿通すると共に、前記基端部（６ｃ）と前記固定体（１８）との間に回動自在に配設したことを特徴とする車両用レバースイッチの構造。
【請求項５】
前記請求項１、又は２の発明において、
前記固定体（１８）は、前記回動ノブ（４）の突起（４ｂ）を回動自在に挿入配置する空洞（１８ｄ）を形成したことを特徴とする車両用レバースイッチの構造。
【請求項６】
前記請求項４、又は５の発明において、
前記第１レバー（３）は、一端部に操作杆（３ａ）を形成し、他端部に固定体（１８）の節度溝を圧接する節度部材を挿入する盲孔（３ｂ）を開口部（３ｃ）に隣設し、
前記固定体（１８）は、前記第１レバー（３）の開口部（３ｃ）に挿入する円筒部（１８ｂ）と、該円筒部（１８ｂ）に隣設し、かつ前記節度溝を形成した鍔部（１８ａ）と、固定ノブ（２１）を係止する係止部（１８ｃ）と、を形成したことを特徴とする車両用レバースイッチの構造。
【請求項７】
前記請求項６の発明において、
前記固定体（１８）は、前記係止部（１８ｃ）に、前記回動ノブ（４）の突起（４ｂ）を空洞（１８ｄ）まで案内する横溝（１８ｈ）を形成したことを特徴とする車両用レバースイッチの構造。
【発明の詳細な説明】
【０００１】
【発明の属する技術分野】
本発明は、レバーの先端に回動ノブを設けた車両用レバースイッチの構造に関する。
【０００２】
【従来の技術】
従来から、この種の技術としては、例えば実開昭６３−１７１９３１号公報に開示された技術がある。この従来の技術は、レバー内に一本の回転シャフトを配設している。該回転シャフトは、先端部において、ピンで第１のノブを固定している。
【０００３】
【発明が解決しようとする課題】
しかしながら、前述した従来のレバースイッチは、回転シャフトと第１のノブとをピンで固定しているので、組付けの作業性が悪く、かつ該ピンが乗員等に見えるので見栄えが悪いという問題点がある。
【０００４】
本発明は、レバーと回動ノブとをスナップ止め手段で取付けることで、組付け作業性が向上し、前記回動ノブにピン等を挿入するための穴を無くし見栄えの良い車両用レバースイッチを提供することを目的とする。
【０００５】
【課題を解決するための手段】
本発明の請求項１の発明は、前述した従来の技術の問題点を解消すべく発明したものであり、回動ノブと、一端に該回動ノブを固定し、他端に操作杆を有する第３レバーと、該第３レバーの軸棒を挿通した筒部を有する第２レバーと、該第２レバーを挿通した第１レバーと、前記第２レバーに固定した固定体と、を備えたレバースイッチにおいて、前記第３レバーは、先端に割り溝を形成すると共に、該割り溝の周部に前記第２レバーの先端部に係止する係止爪を形成し、前記回動ノブは、前記第３レバーの割り溝に嵌入する突起を形成したことでなる。
【０００６】
また、請求項２の発明は、前記請求項１の発明において、前記回動ノブは、前記突起の近傍に、前記第３レバーの軸棒に嵌合する腕部に形成したことでなる。
【０００７】
また、請求項３の発明は、前記請求項１、又は２の発明において、前記第２レバーは、筒部を第１レバーに挿通し、かつ該筒部の先端部に、前記固定体の円筒部の他端部に係止する弾性係止爪を形成したことでなる。
【０００８】
また、請求項４の発明は、前記請求項３の発明において、前記第２レバーは、一端に基端部を有し、他端に固定体を固着し、前記第１レバーは、該第２レバーの筒部に挿通すると共に、前記基端部と前記固定体との間に回動自在に配設したことでなる。
【０００９】
また、請求項５の発明は、前記請求項１、又は２の発明において、前記固定体は、前記回動ノブの突起を回動自在に挿入配置する空洞を形成したことでなる。
【００１０】
また、請求項６の発明は、前記請求項４、又は５の発明において、前記第１レバーは、一端部に操作杆を形成し、他端部に固定体の節度溝を圧接する節度部材を挿入する盲孔を開口部に隣設し、前記固定体は、前記第１レバーの開口部に挿入する円筒部と、該円筒部に隣設し、かつ前記節度溝を形成した鍔部と、固定ノブを係止する係止部と、を形成したことでなる。
【００１１】
また、請求項７の発明は、前記請求項６の発明において、前記固定体は、前記係止部に、前記回動ノブの突起を空洞まで案内する横溝を形成したことでなる。
【００１２】
【発明の実施の形態】
まず、図１、乃至図７に基づき本発明の実施形態を詳述する。
１は、自動車のコンビネーションスイッチ２のボディ（図示せず）の例えば左側に挿着されるケースである。図１及び図３に示す該ケース１及びコンビネーションスイッチ２は、車体の左側のハンドルの近傍に取付られるスイッチであり、以下本発明の一実施形態として、左ハンドル車用のスイッチを詳述する。尚、右ハンドル車用に使用する場合は、ケース１、コンビネーションスイッチ２、及び後述する全部品を対称形状にすることで、適用できる。
【００１３】
前記ボディは、中央にステアリングシャフト（図示せず）を挿通する円筒管を有し、例えば、左側に前記ケース１を左方向から差し込み装着し、ステアリングコラム（図示せず）にネジ止めされる。
【００１４】
前記コンビネーションスイッチ２は、例えば、ターンシグナルスイッチ、パッシングスイッチ、メイン・ディマ切換えスイッチ、及びワイパウオッシャスイッチの機能を備えている。前記コンビネーションスイッチ２は、第１レバー３を矢印Ａ，Ｂで示す左右方向に操作すると、方向指示灯が点滅するターンシグナルスイッチの機能を有する。
【００１５】
該コンビネーションスイッチ２は、第１レバー３を矢印Ｃで示す上方向に操作すると前照灯が一時的に点灯するパッシングスイッチの機能を有する。また、該コンビネーションスイッチ２は、第１レバー３を矢印Ｃ，Ｄで示す上下方向に操作すると、前照灯のメインとディマの切換えを行うメイン・ディマスイッチの機能を有する。
【００１６】
また、コンビネーションスイッチ２は、第１レバー３を矢印Ｅで示す方向に回動操作すると、ワイパを３、４回作動させ、かつフロントガラスにウオッシャ液を噴射するワイパウオッシャスイッチの機能を有する。また、該第１レバー３の先端側に隣設した回動ノブ４は、矢印Ｇ、又はＨで示す方向に回動操作すると、ワイパーを各速度、及び間欠的に作動させるワイパースイッチの機能を備えている。
【００１７】
前記第１レバー３は、前記回動ノブ４側の一端部の径が長く、前記ケース１側の他端部の径が短い略円筒状をしている。該第１レバー３は、ケース１側他部の周囲にラッパ状に開口したブーツ５を遊嵌すると共に、その開口内に筒体でなる第２レバー６を挿入している。該第１レバー３は、第２レバー６の軸部６ｄを中心に矢印Ｅで示す方向に回動し、矢印Ｆで示す方向に自動復帰するワイパウオッシャスイッチを操作するものである。
【００１８】
該第１レバー３は、ケース１側の端部に、第１可動子８を上下方向である矢印Ｋ，Ｍで示す方向に作動させるプッシュロッド７の頭部７ａに圧接した操作杆３ａを突設している。該操作杆３ａは、前記第１レバー３の他端部に形成した突片でなり、該第１レバー３と共に回動して、前記プッシュロッド７の頭部７ａを押圧して上下動させる。
【００１９】
前記プッシュロッド７は、図１に示すように、頭部７ａを有する略Ｌ字状の金属製棒状部材である。該プッシュロッド７は、可動盤２４の開口部２４ｅの底面に形成した筒状部２４ｈに上下動自在に挿入して支持されている。該プッシュロッド７を挿通した筒状部２４ｈは、ケース１の内底面１ｄに穿設した貫通孔１ｇ内に、水平方向に揺動自在に挿入配置されている。該プッシュロッド７は、復帰ばね９に付勢された第１可動子８に押圧されて、常に頭部７ａが操作杆３ａに圧接している。
【００２０】
前記ブーツ５は、図１、及び図３に示すように略ラッパ状に開口し、ケース１に取付けることで、第２レバー６の基端部６ｃ及び可動盤２４を乗員から見えなく目隠しするものである。該ブーツ５は、裏面側下面に設けた貫通孔５ａに、ケース１の凸部１ｃに嵌入し、該ケース１と蓋部材５０とで挟持して固定される。
【００２１】
前記第１可動子８は、図１に示すように上部に金属等でなるプッシュロッド７を係止し、下面に復帰ばね９を介して、極盤１０の開口部１０ａの内底に配置し、側面に接点ばね１１を介して可動接点板１２を係止している。該第１可動子８は、第１基板１４側の側面に前記接点ばね１１が没入する盲孔８ａを穿設し、下面に前記復帰ばね９が没入する盲孔（図示せず）を穿設している。
【００２２】
該第１可動子８は、上面に、前記プッシュロッド７の下端部が当接する幅広な頭部８ｂを形成している。該第１可動子８は、第２基板３２に垂直に形成した案内溝３２ｅに係合するガイド突起８ｃを、第２基板３２側の側面の上下に複数形成している。該第１可動子８は、前記第１レバー３を回動操作すると、プッシュロッド７に押圧されて。矢印Ｋ，Ｍで示す方向に案内溝３２ｅに案内されて上下動する。そして、可動接点板１２が固定接点１４ｅに接触するとＯＮして、ワイパウオッシャが作動する。
【００２３】
第１基板１４は、図１、及び図３に示すように固定接点１４ｄ，１４ｅを印刷し、電子素子１３と端子盤１５の半田付け部１５ｂを半田付けしたプリント基板でなる。尚、前記固定接点１４ｄ，１４ｅは、第１基板１４に加締固定する金属片で形成してもよい。電子素子１３は、間欠ワイパ回路等を構成する抵抗体等でなる。端子盤１５は、端子１５ａと一体の半田付け部１５ｂをインサート成形している。前記第１基板１４、及び端子盤１５は、開口部１０ａ内に挿入してケース１の内底面１ｄの下面で挟持し、かつ端子１５ａをコネクタ部１０ｂ内に挿通して固定される。
【００２４】
前記第１基板１４は、例えばプリント基板でなり、後述する軸棒３２ａを軸止する軸穴１４ａと、端子１５ａの半田付け部１５ｂを嵌入するスルーホール１４ｂと、第２基板３２の係止突棒３２ｂが係合する貫通穴１４ｃと、を穿設している。該第１基板１４は、第１可動子８を配置する表面側に、前記固定接点１４ｄ，１４ｅと端子盤１５を固着している。固定接点１４ｄは、軸穴１４ａの周囲に円弧状に、かつ略２列に配置してなる。固定接点１４ｅは、前記第１レバー３を回動操作し、可動接点板１２が下降したときに接触する位置に配置する。
【００２５】
前記端子盤１５は、図１及び図３に示すように下面に端子１５ａを突出し、該端子１５ａと一体の半田付け部１５ｂを側面から突出し、かつ該端子１５ａ及び該半田付け部１５ｂをインサート成形してなる。該端子盤１５は、第２基板３２に突設した軸棒３２ａが係合する貫通穴１５ｃを、略中央に穿設している。該端子盤１５は、下端部を開口部１０ａの内底に嵌合すると共に、端子１５ａをコネクタ部１０ｂに挿着し、半田付け部１５ｂを第１基板１４のスルーホール１４ｂに半田付けし、かつ軸棒３２ａが貫通穴１５ｃに嵌着することで固定される。
【００２６】
前記第１レバー３は、図２に示すように回動ノブ４側の開口部３ｃの内側に、スチールボール１７、及び節度ばね１６が没入する盲孔３ｂを穿設している。該スチールボール１７は、節度ばね１６に付勢され、固定体１８の略中央に設けた鍔部１８ａの第１レバー３側の側面に形成した節度溝（図示せず）に圧接し、前記第１レバー３を自動復帰させる。
【００２７】
固定体１８は、図２、図４、及び図５に示すように第１レバー３の開口部３ｃに挿入し、筒部６ａの先端が挿着される円筒部１８ｂと、節度ばね１９及びスチールボール２０を外周方向に出没自在に配設した前記鍔部１８ａと、固定ノブ２１を固着する係止部１８ｃと、を形成している。該固定体１８は、第１レバー３及び円筒部１８ｂを挿通した軸筒部６ａの先端の弾性係止爪６ｂが、前記鍔部１８ａに隣設した空洞１８ｄの縁に係止し、かつキー６ｇが円筒部１８ｂ内に形成したキー溝（図示せず）に嵌合することで、第２レバー６に固定される。前記第１レバー３は、筒部６ａを遊挿し、一端に基端部６ｃ、他端に鍔部１８ａを設けたことで、第２レバー６に回動自在に配置される。
【００２８】
前記鍔部１８ａの外周部又はその近隣には、図２及び図５に示すように前記節度ばね１９及びスチールボール２０を挿入する盲孔１８ｇを穿設し、かつその周囲に前記回動ノブ４を配置している。前記係止部１８ｃには、固定ノブ２１の内部に形成した案内溝（図示せず）に係合する突片１８ｅと、固定ノブ２１の開口端に設けた係止片２１ａに係合する爪１８ｆと、回動ノブ４の突起４ｂ、及び腕部４ｃに空洞１８ｄまで導く横溝１８ｈと、を形成している。
【００２９】
前記円筒部１８ｂは、第１レバー３の開口部３ｃに遊嵌し、第２レバー６の筒部６ａを挿通し、かつキー６ｇが嵌合するキー溝を形成している。前記空洞１８ｄは、該円筒部１８ｂの端部に連設し、かつ回動ノブ４の突起４ｂ、及び腕部４ｃを所定角度範囲内だけ回動可能に配置する盲孔状の穴である。前記爪１８ｆは、固定ノブ２１の係止片２１ａに係合し、該固定ノブ２１を固定体１８に固定するためのもので、該固定体１８の下面に形成される。
【００３０】
盲孔１８ｇは、例えば鍔部１８ａの外周部などの固定体１８の軸心線から一番離れた位置に形成する。前記横溝１８ｈは、回動ノブ４を鍔部１８ａに隣設し、かつ突起４ｂ、及び腕部４ｃを空洞１８ｄ内に配置すべく形成したもので、固定体１８の端部から空洞１８ｄまで連なる溝でなる。
【００３１】
前記回動ノブ４は、図２及び図５に示すように内面に、２つのスチールボール２０が各々圧接する２組の節度溝４ａと、鍔部１８ａの上側半分の側面に摺接する突起４ｂ、及び腕部４ｃと、を形成している。前記突起４ｂは、各部品を組付けたとき、第３レバー２２の先端に形成された割り溝２２ｅに挿入される。前記腕部４ｃは、第２レバー６の筒部６ａの先端部に嵌合するＣ字状のもので、前記突起４ｂに連設している。これにより回動ノブ４と第３レバー２２は、共に同一回転する。
【００３２】
前記第２レバー６は、図２及び図４に示すように基端部６ｃの両側に、可動盤２４の軸穴２４ａに軸合する軸部６ｄを突設している。該第２レバー６、第１レバー３、及び第３レバー２２は、前記軸部６ｄを中心として共に矢印Ｃ，Ｄで示す方向に揺動する。該基端部６ｃは、一方側に軸部６ｄを突出形成し、他端側に節度ばね２５、スチールボール２６を挿設する節度体配設突起６ｅを形成している。節度ばね２５に付勢されたスチールボール２６は、図３に示すように可動盤２４の内壁に形成された節度溝２４ｂに圧接している。
【００３３】
前記節度体配設突起６ｅは、下側に、アーム体２７の当接部２７ｂを押圧する押圧面６ｆを形成している。該第２レバー６は、第１レバー３を矢印Ｃ，Ｄで示す方向に操作すると、軸部６ｄを中心として共に上下動し、前記アーム体２７を揺動させる。
【００３４】
該アーム体２７は、図７に示すように軸部２７ａ、当接部２７ｂ、及び押圧部２７ｃと、それらを連結する第１アーム２７ｄ、第２アーム２７ｅ、及び第３アーム２７ｆとでなる。該アーム体２７は、略円柱状の軸部２７ａをケース１に形成した軸支溝１ａに軸合し、かつ該ケース１と可動盤２４の下面とで回動自在に挟持される。
【００３５】
前記軸支溝１ａは、図１に示すようにアーム体２７の軸部２７ａと、該軸部２７ａの近傍の第１アーム２７ｄが没入する略Ｔ字状態の盲孔で、ケース１の内底面１ｄ上の隅に形成される。ケース１は、該軸支溝１ａに隣接してアーム体２７の第３アーム２７ｆと、可動盤２４の突起２４ｃを揺動自在に挿入配置する貫通孔１ｅを穿設している。該貫通穴１ｅは、軸支溝１ａとの対向位置に、第３アーム２７ｆが挿通し、かつ押圧部２７ｃが当接する切欠部１ｆを形成している。
【００３６】
前記当接部２７ｂは、前記押圧部６ｆに圧接される箇所で、円柱状をしている。前記押圧部２７ｃは、スプリング２８に付勢された第２可動子２９を矢印Ｑ，Ｒで示す方向に抗して上下動させる箇所である。該押圧部２７ｃは、第３アーム２７ｆの先端から突出した円柱状のものである。該押圧部２７ｃは、ケース１の内底面１ｄの下面と、第２可動子２９との間に配置される。そして、該押圧部２７ｃには、常にスプリング２８に付勢された第２可動子２９が圧接している。
【００３７】
前記第１アーム２７ｄは、図３に示すように軸部２７ａから水平方向に伸びている。第２アーム２７ｅは、当接部２７ｂから真下方向に垂下し、第１アーム２７ｄと第３アーム２７ｆとの間で互いに交差している。第３アーム２７ｆは、押圧部２７ｃから第１アーム２７ｄと第２アーム２７ｅが交差する斜め上方向に伸びている。
【００３８】
該アーム体２７は、例えば、図７に示すように軸部２７ａから当接部２７ｂまでの長さをＬ１、軸部２７ａから押圧部２７ｃまでの長さをＬ２とした場合、
Ｌ１＜Ｌ２
とする。
【００３９】
これにより、該アーム体２７は、押圧面６ｆに押圧されて、一端の軸部２７ａを中心として矢印Ｕ，Ｖで示す方向にθ°回動したとき、アーム体２７の他端にある押圧部２７ｃは当接部２７ｂより長い距離を移動する。すなわち、第２可動子２９は、第２レバー６との間にアーム体２７を介在したことで、矢印Ｑ，Ｒで示す方向に上下移動するストロークの移動距離が拡大される。
【００４０】
該第２可動子２９は、図１及び図３に示すように側面に、接点ばね３０を出没自在に挿入する盲孔２９ｂを穿設し、かつ前記接点ばね３０を介して可動接点板３１を係止している。該第２可動子２９は、下面にスプリング２８を出没自在に挿入する盲孔（図示せず）を穿設している。前記第１レバー３を矢印Ｃ，Ｄで示す方向に操作すると、第２可動子２９がアーム体２７に押圧されて上下動して開閉し、メイン・ディマの切り換え、及びパッシングが行われる。前記可動接点板３１は、第２可動子２９が矢印Ｑ，Ｒで示す方向に上下動すると、第２基板３２に設けた固定接点３２ｃに接触してＯＮする。
【００４１】
該第２基板３２は、図１及び図３に示すように第２可動子２９側の側面に、前記固定接点３２ｃを配設し、かつ第２可動子２９のガイド凸部２９ａが接合するガイド溝３２ｆを形成している。該第２基板３２は、第１基板１４側の側面に軸棒３２ａ、係止突棒３２ｂ，３２ｄ、及び案内溝３２ｅを形成している。該第２基板３２は、下面に前記固定接点３２ｃに導通した端子３３をインサート成形して突出している。
【００４２】
該第２基板３２は、下端部を極盤１０の開口部１０ａの内底に嵌着すると共に、ケース１で開口部１０ａを閉塞することで、開口部１０ａの底面とケース１の内底面１ｄの下面とで挟持されて固定される。また、該第２基板３２は、前記端子３３を極盤１０のコネクタ部１０ｂ内に挿着し、かつ軸棒３２ａを第１基板１４の軸穴１４ａに嵌合し、係止突棒３２ｂに貫通穴１５ｃに、係止突棒３２ｄを貫通穴１４ｃに各々係合することで、更に堅固に極盤１０内に固定される。
【００４３】
前記軸棒３２ａ、及び係止突棒３２ｂ，３２ｄは、例えば、樹脂等で第２基板３２と共に一体に形成してなる。該軸棒３２ａは、図３に示すように、先端が軸穴１４ａを挿通して第１基板１４から突出する長さとする。尚、軸棒３２ａは、第２基板３２に固着した金属製の軸でもよい。また、第２基板３２に突出形成した軸棒３２ａ、及び係止突棒３２ｂ，３２ｄは、該第２基板３２の対向位置にある第１基板１４及び端子盤１５に形成し、第１基板１４の軸穴１４ａ及び貫通穴１４ｃ、端子盤１５の貫通穴１５ｃを第２基板３２に各々穿設してもよい。
【００４４】
前記係止突棒３２ｂ及び３２ｄは、例えば同一形状のものでなり、先端中央に割り溝を形成して弾性を有し、かつ貫通穴１５ｃ，１４ｃの縁に係止する爪を形成している。該係止突棒３２ｂは、第２基板３２の上方から第１基板１４に向けて突出形成される。前記係止突棒３２ｄは、第２基板３２の下方から端子盤１５に向けて突出形成される。
【００４５】
前記固定ノブ２１は、図２及び図４に示すように固定体１８の係止部１８ｃに係合し、かつ係止片２１ａを爪１８ｆに係止することで、固定体１８に固着される。これにより、該固定ノブ２１、固定体１８及び第２レバー６は、共に一体に動く。
【００４６】
前記第３レバー２２は、図２、図４、及び図６に示すように、一端に割り溝２２ｅ、及び割り溝２２ｅの周囲に形成した係止爪２２ｆを形成し、他端に歯車形状の操作杆２２ａを有している。該第３レバー２２は、軸棒２２ｃを第２レバー６の筒部６ａに挿通し、係止爪２２ｆが該筒部６ａの端面に回動自在に係止している。前記回動ノブ４は、筒部６ａ内に軸棒２２ｃを挿通し、該筒部６ａを第１レバー３に挿通し、かつ該回動ノブ４の突起４ｂを割り溝２２ｅに嵌入すると共に腕部４ｃを軸棒２２ｃに嵌合し、固定体１８の円筒部１８ｂに第２レバー６を嵌入して弾性係止爪６ｂを円筒部１８ｂの端面に係止させることで、第３レバー２２に固定される。
【００４７】
前記操作杆２２ａは、第３レバー２２の一端に一体成形、又は軸止した歯車形状のもので、図６に示すように略扇形をした歯型状の噛合部２２ｂを有する伝達部材である。該操作杆２２ａの先端部の噛合部２２ｂは、図４に示すように第３レバー２２の中心線に対して斜め下方向に突出している。操作杆２２ａは、図３に示すように第１レバー３がニュートラル位置にあるとき、第３可動子３４の歯車状の噛合部３４ａに垂直に噛合している。
【００４８】
該操作杆２２ａは、図１に示すように前記回動ノブ４を矢印Ｇ，Ｈで示す方向に回動操作すると、矢印Ｙ，Ｚで示す方向に回動して、前記第３可動子３４を矢印Ｎ，Ｐで示す方向に回動させる。また、該操作杆２２ａは、第１レバー３を矢印Ｃ，Ｄで示す方向に操作すると、該噛合部２２ｂが傾いた状態で第３可動子３４の噛合部３４ａに噛合する。
【００４９】
該第３可動子３４は、上側外周部に噛合部３４ａを形成した歯車状の回動部材である。該第３可動子３４は、中心に軸穴３４ｂを穿設し、該軸穴３４ｂに前記第２基板３２の軸棒３２ａを挿入し、かつ該軸棒３２ａの先端を第１基板１４の軸穴１４ａに軸止することで、回動自在に軸支される。該第３可動子３４は、軸穴３４ｂの周囲に導電性金属板ばね材料でなる略円弧状の可動接片３５を固着している。該可動接片３５は、第３可動子３４が矢印Ｎ，Ｐで示す方向に回動することで、第１基板１４に配設した固定接点１４ｄに接触して、例えば間欠ワイパ、ワイパ低速、ワイパ高速に順次に作動させる。
【００５０】
前記可動盤２４は、ケース１の内底面１ｄ上に載置し、上面の軸部２４ｄを蓋部材５０の軸穴５０ｂに軸合することで回動自在に支持される。該可動盤２４は、第１レバー３を矢印Ａ，Ｂで示す方向に操作すると、第２レバー６と共に、軸部２４ｄを中心に矢印Ｉ，Ｊで示す方向に回動する。可動盤２４は、第４可動子３７の係合部３７ａに係合する突起２４ｃを下面に突出形成している。該第４可動子３７は、下面に接点ばね３８を介して可動接点板３９を係止している。
【００５１】
該第４可動子３７は、第１レバー３を矢印Ａ，Ｂで示す方向に揺動操作すると、可動盤２４が矢印Ｉ，Ｊで示す方向に回動し、該可動盤２４に連動して、可動接点板３９と共に矢印Ｓ，Ｔで示す方向に移動する。該第４可動子３７は、ケース１の内底面１ｄの下面と、第３基板４０の盤面との間に介在される。該第４可動子３７は、第３基板４０の盤面の縁４０ａに案内されて、矢印Ｓ，Ｔで示す方向に直線移動する。
【００５２】
該第４可動子３７は、突起２４ｃを介入する２枚の突片でなる係合部３７ａを形成し、下面に接点ばね３８を出没自在に挿入する盲孔（図示せず）を穿設している。該可動接点板３９は、第３基板４０の固定接点４１に接触することで、方向指示器を作動させ、方向指示灯が点滅する。
【００５３】
第３基板４０は、固定接点４１と、該固定接点４１に導通している端子４２とをインサート成形等で固着している。該第３基板４０は、極盤１０の収納部１０ｃに嵌合し、端子４２を極盤１０の下方から突出している。
【００５４】
また、前記可動盤２４は、前記第１レバー３を配設する側に第２レバー６の基端部６ｃを所望角度だけ回動可能に収納する開口部２４ｅを形成し、該開口部２４ｅの略反対側に節度ばね４３、及び節度体４４を出没自在に収納する節度体挿入筒部２４ｆを突設している。該節度体４４は、先端に、節度溝１ｂに圧接するコロ４５を回転自在に軸支している。
【００５５】
前記ケース１は、上面に可動盤２４、キャンセルカム４６、板ばね４７、カムガイド４８、及びコイルスプリング４９を介在して蓋部材５０をネジ止めして閉塞している。該ケース１は、下面にプッシュロッド７、第１可動子８、第１基板１４、端子板１５、第２基板３２、第３可動子３４、及び第２可動子２９等を介在して極盤１０で閉塞している。前記ケース１は、前記各部品を収納して、ボディに嵌合し、かつネジ止めされる。
【００５６】
キャンセルカム４６は、上下に軸４６ａを有し、下側の軸４６ａを可動盤２４の溝２４ｇに遊嵌し、上側の軸４６ａを蓋部材５０の長孔５０ａに遊嵌している。板ばね４７は、両端を蓋部材５０に保持し、中央部でキャンセルカム４６を押圧し、付勢している。カムガイド４８は、可動盤２４上に載置し、コイルスプリング４９で、前記キャンセルカム４６側に付勢されている。蓋部材５０は、ケース１の上側開口端に嵌着される。
【００５７】
本発明の実施形態は、以上のような構成であり、組付け手順及び作用を詳述する。
まず、アーム体２７の軸部２７ａを軸支溝１ａに軸支すると共に、押圧部２７ｃを内底面１ｄの下面に配置する。第２基板３２と第１基板１４との間に、第３可動子３４、可動接片３５、第１可動子８、接点ばね１１、及び可動接点板１２を介在し、第２可動子２９、接点ばね３０、及び可動接点板３１と共に極盤１０の開口部１０ａに挿入する。可動接点板３９及び接点ばね３８を備えた第４可動子３７を第３基板４０上に載置すると共に、該第３基板４０を極盤１０の収納部１０ｃに挿入する。そして、前記開口部１０ａ及び収納部１０ｃをケース１で閉塞する。
【００５８】
第３レバー２２を、第２レバー６の基端部６ｃから筒部６ａに挿通して、係止爪２２ｆを筒部６ａの先端の端面に係止する。第３レバー２２は、係止爪２２ｆが筒部６ａの端面に係止することで、第２レバー６から脱落することなく、回動自在に軸支される。
【００５９】
プッシュロッド７を可動盤２４の筒状部２４ｈに挿入し、頭部７ａを該筒状部２４ｈの上側開口端に配置する。節度ばね２５及びスチールボール２６を第２レバー６の節度体配設突起６ｅに挿入すると共に、軸部６ｄを軸穴２４ａに軸合して、第２レバー６を可動盤２４に軸支する。
【００６０】
節度ばね１６及びスチールボール１７を第１レバー３の盲孔３ｂに挿入すると共に、第２レバー６の筒部６ａをブーツ５、及び第１レバー３を介して、固定体１８の円筒部１８ｂに挿入する。第２レバー６は、弾性係止爪６ｂが固定体１８の空洞１８ｄ内で、前記円筒部１８ｂの端面に係止し、キー６ｇが円筒部１８ｂ内で係合する。これにより、第２レバー６は、固定体１８に固着され、第１レバー３は筒部６ａに回動自在に軸支される。
【００６１】
前記固定体１８の盲孔１８ｇに節度ばね１９及びスチールボール２０を挿入し、該固定体１８に回動ノブ４を嵌入して、突起４ｂを第３レバー２２に割り溝２２ｅに嵌入すると共に、腕部４ｃを軸棒２２ｃに嵌合する。これにより、回動ノブ４と第３レバー２２とが連結されて、共に同じ回動をする。
【００６２】
固定体１８の係止部１８ｃに固定ノブ２１を挿着する。該固定ノブ２１は、係止片２１ａが爪１８ｆに係合することで、固定体１８に固定され、固定体１８から回動ノブ４が脱落することを阻止する。第１レバー３の内部や近隣に設けた第２レバー６、第３レバー２２、固定体１８、回動ノブ４、及び固定ノブ２１は、前記係止爪２２ｆ、割り溝２２ｅ、弾性係止爪６ｂ、突起４ｂ、腕部４ｃ、爪１８ｆ、及び２１ａとで、ピンやネジ等の締結部材を使用せず、固定及び回動自在に組付けることができる。これにより、部品点数や組付工数を削減し、コストを低減することができる。
【００６３】
前記可動盤２４に、節度ばね４３、節度体４４、コロ４５、コイルスプリング４９、及びカムガイド４８を設け、該可動盤２４をケース１の内底面１ｄ上に挿入すると共に、前記ブーツ５の貫通孔５ａを凸部１ｃに嵌合する。蓋部材５０に、キャンセルカム４６及び板ばね４７を設け、かつ該軸穴５０ｂに軸部２４ｄを軸合すると共に、該蓋部材５０をケース１の上部に嵌合し、ネジ止めする。これで組付け完了する。
【００６４】
回動ノブ４を矢印Ｇで示す方向に回動操作すると、該回動ノブ４に軸止した第３レバー２２が矢印Ｙで示す方向に回動する。該第３レバー２２は、操作杆２２ａが共に回動して、第３可動子３４を矢印Ｎで示す方向に回動させる。可動接片３５は、第３可動子３４と共に回動して固定接点１４ｄに接触し、ワイパが間欠的に作動する。更に回動ノブ４を矢印Ｇで示す方向に回動すると、前述した各部材が回動して、ワイパが連続的に低速に作動する。更に回動ノブ４を矢印Ｇで示す方向に回動操作すると、ワイパの速度が高速に切り替わる。
【００６５】
前記回動ノブ４は、第３レバー２２に操作杆２２ａを形成し、第３可動子３４に噛合部３４ａを形成し噛合させたことで、該回動ノブ４を矢印Ｅ，Ｆで示す方向に大きく回動しても操作杆２２ａの噛合部２２ｂと、第３可動子３４の噛合部３４ａとが噛合しており、該回動ノブ４の回動角度を大きくすることができ、固定接点１４ｄの数を増やすことが可能となる。
【００６６】
前記回動ノブ４を矢印Ｈで示す方向に回動操作すると、第３レバー２２及び操作杆２２ａは、矢印Ｚで示す方向に回動する。可動接片３５は、前記操作杆２２ａに噛合した第３可動子３４と共に、矢印Ｐで示す方向に回動してワイパの低速位置、間欠位置、及びＯＦＦ位置に順次切り替わり、元のＯＦＦ位置に復帰すると、ワイパが停止する。
【００６７】
第１レバー３を矢印Ｃで示す方向に引き上げ操作すると、該第１レバー３、第２レバー６、及び第３レバー２２が軸部６ｄを中心に回動する。第３レバー２２は、矢印Ｃ，Ｄで示す方向に回動操作しても、操作杆２２ａの噛合部２２ｂと、第３可動子３４の噛合部３４ａとの噛み合う部分の長さが長いので離脱することがない。アーム体２７は、当接部２７ｂが第２レバー６の押圧面６ｆに押圧されて、軸部２７ａを中心として矢印Ｕで示す方向に回動する。
【００６８】
前記当接部２７ｂ及び押圧部２７ｃは、軸部２７ａを中心に、軸部２７ａから押圧部２７ｃまでの長さＬ２を半径として、矢印Ｕ，Ｖで示す方向にθ°回転する。押圧部２７ｃは、図７に示すように当接部２７ｂが長さＳ１押されると、該長さＳ１より長いＳ２移動する。第２可動子２９は、該アーム体２７により第２レバー６の押圧面６ｆのストロークの移動距離を拡大されて伝達され、大きく矢印Ｑで示す方向に下降して、パッシング、及びメイン・ディマスイッチが開閉する。
【００６９】
可動接点板３１は、第２可動子２９のストロークの移動距離を長くしたことで、該可動接点３１に接触するパッシング用固定接点３２ｃ及びメイン・ディマ用固定接点３２ｃの間隔を広げて配置することができる。これにより、接点不良を解消し、かつ第２可動子２９及びコンビネーションスイッチ２全体を小型化することができる。
【００７０】
第１レバー３を矢印Ａで示す方向に操作すると、該第１レバー３、第２レバー６、第３レバー２２、及び可動盤２４が軸部２４ｄを中心に回動する。第３レバー２２は、矢印Ａ，Ｂで示す方向に回動しても、操作杆２２ａの噛合部２２ｂと第３可動子３４の噛合部３４ａとの噛み合う部分の長さが長いので離脱することがない。可動盤２４は、矢印Ｉで示す方向に回動し、下面の突起２４ｃが第４可動子３７を矢印Ｓで示す方向に移動させる。
【００７１】
該可動盤２４は、第３基板４０の縁４０ａに案内されて、矢印Ｓで示す方向に直線移動し、方向指示灯が点滅する。そして、前記第１レバー３を反対の矢印Ｂで示す方向に操作すると、各部材が前述した矢印Ａで示す方向の時とは反対に移動する。
【００７２】
第１レバー３を矢印Ｅで示す方向に回動操作すると、該第１レバー３は第３レバー２２の軸心線を中心として、回動する。操作杆３ａは、第１レバー３と共に矢印Ｅで示す方向に回動して、プッシュロッド７を下降させる。該プッシュロッド７は、第１可動子８、及び可動接点板１２を矢印Ｋで示す方向に下降させ、該可動接点板１２が固定接点１４ｅに接触して、ワイパウオッシャが作動する。
【００７３】
該第１レバー３から手を離すと、該第１レバー３は、節度ばね１６に付勢されたスチールボール１７が固定体１８の節度溝に案内されて移動し、元のＯＦＦ位置に復帰する。プッシュロッド７及び第１可動子８は、復帰ばね９に付勢されて元のＯＦＦ位置に復帰し、ワイパウオッシャが停止する。
【００７４】
【発明の効果】
本発明は、以上説明したように構成したので、次のような効果がある。
請求項１の発明は、回動ノブと、一端に該回動ノブを固定し、他端に操作杆を有する第３レバーと、該第３レバーの軸棒を挿通した筒部を有する第２レバーと、該第２レバーを挿通した第１レバーと、前記第２レバーに固定した固定体と、を備えたレバースイッチにおいて、前記第３レバーは、先端に割り溝を形成すると共に、該割り溝の周部に前記第２レバーの先端部に係止する係止爪を形成し、前記回動ノブは、前記第３レバーの割り溝に嵌入する突起を形成したことで、回動ノブをピン等を使用せずに、ワンタッチで第３レバーに固定でき、組付け作業の作業性を向上させることができる。また、本発明の回動ノブは、ピンを使用しないので、ピンが見えず見栄えの良いコンビネーションスイッチを提供することができる。
【００７５】
請求項２の発明は、前記請求項１の発明において、前記回動ノブは、前記突起の近傍に、前記第３レバーの軸棒に嵌合する腕部に形成したことで、回動ノブを第３レバーに堅固できる。
【００７６】
請求項３の発明は、前記請求項１、又は２の発明において、前記第２レバーは、筒部を第１レバーに挿通し、かつ該筒部の先端部に、前記固定体の円筒部の他端部に係止する弾性係止爪を形成したことで、固定体を第２レバーにワンタッチで組付けることができ、部品点数及び組付工数を削減してコストを低減することができる。
【００７７】
請求項４の発明は、前記請求項３の発明において、前記第２レバーは、一端に基端部を有し、他端に固定体を固着し、前記第１レバーは、該第２レバーの筒部に挿通すると共に、前記基端部と前記固定体との間に回動自在に配設したことで、第３レバーと第１レバーとを回動自在にすると共に、回動操作面積のある第１レバーを提供することができる。
【００７８】
請求項５の発明は、前記請求項１、又は２の発明において、前記固定体は、前記回動ノブの突起を回動自在に挿入配置する空洞を形成したことで、前記回動ノブの突起を、固定体の空洞内に回動自在にすることを可能にする。
【００７９】
請求項６の発明は、前記請求項４、又は５の発明において、前記第１レバーは、一端部に操作杆を形成し、他端部に固定体の節度溝を圧接する節度部材を挿入する盲孔を開口部に隣設し、前記固定体は、前記第１レバーの開口部に挿入する円筒部と、該円筒部に隣設し、かつ前記節度溝を形成した鍔部と、固定ノブを係止する係止部と、を形成したことで、固定体の鍔部の両側に回動可能な第１レバーと回動ノブとを配設することを可能にする。
【００８０】
請求項７の発明は、前記請求項６の発明において、前記固定体は、前記係止部に、前記回動ノブの突起を空洞まで案内する横溝を形成したことで、回動ノブの突起を、固定体の空洞まで導くことができ、該回動ノブを所望範囲まで可能にすることができる。
【図面の簡単な説明】
【図１】本発明の実施形態を示す図面で、一部断面を有する分解斜視図である。
【図２】本発明の実施形態を示す図面で、レバー部分の要部拡大分解斜視図である。
【図３】本発明の実施形態を示す図面で、要部拡大縦断面図である。
【図４】本発明の実施形態を示す図面で、回動ノブを組付けた第１レバーの拡大縦断面図である。
【図５】本発明の実施形態を示す図面で、第１レバーに回動ノブを組付けた状態を示す説明図である。
【図６】本発明の実施形態を示す図面で、第３レバーの拡大側面図である。
【図７】本発明の実施形態を示す図面で、アーム体の回動状態を示す説明図である。
【符号の説明】
３  第１レバー
３ａ  操作杆
３ｂ  盲孔
３ｃ  開口部
４  回動ノブ
４ｂ  突起
４ｃ  腕部
６  第２レバー
６ａ  筒部
６ｂ  弾性係止爪
６ｃ  基端部
１８  固定体
１８ａ  鍔部
１８ｂ  円筒部
１８ｃ  係止部
１８ｄ  空洞
１８ｈ  横溝
２１  固定ノブ
２２  第３レバー
２２ａ  操作杆
２２ｃ  軸棒
２２ｅ  割り溝
２２ｆ  係止爪
【図１】
0003832842.tif 000002
【図２】
0003832842.tif 000003
【図３】
0003832842.tif 000004
【図４】
0003832842.tif 000005
【図５】
0003832842.tif 000006
【図６】
0003832842.tif 000007
【図７】
0003832842.tif 000008